(57)【特許請求の範囲】
【請求項１】
シート（Ｓ）が展張されてなるビニールハウスに換気口を形成する換気枠（１）と、この換気枠（１）に着脱自在に装着されてネット（Ｎ）が展張される内枠（２）と、上記換気枠（１）に枢着されてシート（Ｓ１）が展張される窓枠（３）とを備えてなり、
上記換気枠（１）は、この換気枠（１）の内周に向けて開口する係合溝（ｂ）を有する係合部（４２）を備えてなり、
上記ビニールハウスの外側から上記内枠（２）を上記係合溝（ｂ）に係合して上記換気枠（１）に装着した状態で上記窓枠（３）を上記ビニールハウスの外側に向けて揺動することで上記換気口の開くことを特徴とするビニールハウス用換気装置。
【請求項２】
上記換気枠（１）は、上記窓枠（３）が枢着される一本の長尺な支持換気枠体（４）と、三本の長尺な換気枠体（５）が上下左右に配置されて矩形に形成されてなり、
上記支持換気枠体（４）は、上記換気枠（１）の上辺に相当し、手前側長手方向に沿って形成されてシート（Ｓ）が定着する蟻溝（ａ）を有する蟻溝部（４０）と、この蟻溝部（４０）の下端に沿って連設されて上記窓枠（３）を揺動自在に支持する支持部（４１）と、この支持部（４１）の奥側に長手方向に沿って連設される上記係合部（４２）とを備えることを特徴とする請求項１に記載のビニールハウス用換気装置。
【請求項３】
シート（Ｓ）が展張されてなるビニールハウスに換気口を形成する換気枠（１）と、この換気枠（１）に着脱自在に装着されてネット（Ｎ）が展張される内枠（２）と、上記換気枠（１）に枢着されてシート（Ｓ１）が展張される窓枠（３）とを備えてなり、
上記換気枠（１）は、上記窓枠（３）が枢着される一本の長尺な支持換気枠体（４）と、三本の長尺な換気枠体（５）が上下左右に配置されて矩形に形成されてなり、
上記支持換気枠体（４）は、上記換気枠（１）の上辺に相当し、手前側長手方向に沿って形成されてシート（Ｓ）が定着する蟻溝（ａ）を有する蟻溝部（４０）と、この蟻溝部（４０）の下端に沿って連設されて上記窓枠（３）を揺動自在に支持する支持部（４１）と、この支持部（４１）の奥側に長手方向に沿って連設されて上記内枠（２）が係合する係合溝（ｂ）を有する係合部（４２）とを備えてなり、
上記内枠（２）を上記換気枠（１）に装着した状態で上記窓枠（３）を揺動して上記換気口の開閉を行うことを特徴とするビニールハウス用換気装置。
【請求項４】
上記三本の換気枠体（５）は、上記換気枠（１）の下辺、左辺及び右辺に相当し、手前側長手方向に沿って形成されてシート（Ｓ）が定着する蟻溝（ａ）を有する蟻溝部（５０）と、この蟻溝部（５０）の長手方向に沿って連設される断面Ｌ字状のＬ字片（５１）とを備え、
上記Ｌ字片（５１）を上記換気枠（１）の内側に向けて配置することを特徴とする請求項２または請求項３に記載のビニールハウス用換気装置。
【請求項５】
上記換気枠体（５）における蟻溝部（５０）とＬ字片（５１）との境界に、上記蟻溝部（５０）からＬ字片（５１）にかけて手前側に傾斜する傾斜片（５２）を備えることを特徴とする請求項４に記載のビニールハウス用換気装置。
【請求項６】
上記内枠（２）は、長尺の四本の内枠体（６）が上下左右に配置されて矩形に形成されてなり、
上記内枠体（６）は、手前側長手方向に沿って上記ネット（Ｎ）が定着する断面コ字状の溝（ｃ）が形成されるコ字溝部（６０）と、このコ字溝部（６０）奥側端に沿って長手方向に連設される平板状の平板片（６１）とを備えてなり、
上記内枠（２）の上辺に相当する内枠体（６）の上記コ字溝部（６０）を上記支持換気枠体（４）の係合溝（ｂ）内に係合することを特徴とする請求項２から請求項５の何れか一項に記載のビニールハウス用換気装置。
【請求項７】
上記内枠体（２）は、上記換気枠体（５）の上記Ｌ字片（５１）の手前側に、上記内枠（２）の下辺、左辺若しくは右辺に相当する上記内枠体（６）の平板片（６１）を重ねてクリップ止めすることを特徴とする請求項６に記載のビニールハウス用換気装置。
【請求項８】
上記窓枠（３）は、上記換気枠（１）に枢着される一本の長尺な引掛窓枠体（７）と、三本の長尺な窓枠体（８）が上下左右に配置されて矩形に形成されてなり、
上記引掛窓枠体（７）は、上記窓枠（３）の上辺に相当し、手前側長手方向に沿って形成されてシート（Ｓ１）が定着する蟻溝（ａ）を有する蟻溝部（７０）と、この蟻溝部（７０）の上端に沿って連設されて上記支持換気枠体（４）の支持部（４１）に揺動自在に係合するフック片（７１）と、上記蟻溝部（７０）の下端に沿って連設される平板状の平板片（７２）とを備えることを特徴とする請求項２から請求項７の何れか一項に記載のビニールハウス用換気装置。
【発明の詳細な説明】
【技術分野】
【０００１】
この発明は、農作物や園芸用植物等を育成するために利用されるビニールハウスの妻面、屋根面、側面等に設けられて、ビニールハウス内を換気するビニールハウス用換気装置に関する。
【背景技術】
【０００２】
一般に、上記ビニールハウスは、ビニールハウス内の温度や湿度等を適正に保つと共に害虫や害獣等の侵入を防いで、農作物や園芸用植物等の生育環境を整えるものである。
【０００３】
そして、上記ビニールハウスの妻面、屋根面、側面等には、ビニールハウス内を換気するビニールハウス用換気装置が設けられ、このビニールハウス用換気装置として各種提案がなされている。
【０００４】
例えは、特許文献１に開示のビニールハウス用換気装置は、特許文献１の図３に示すように、シートが展張されてなるビニールハウスに換気口を形成する換気枠と、この換気枠に枢着されてシートが展張される矩形の窓枠とを備えてなる。
【０００５】
そして、上記換気枠には、害虫や害獣の侵入を塞ぐと共に空気を透過することが可能なネットが展張されてなる。
【０００６】
上記構成を備えることにより、上記ビニールハウス用換気装置は、上記窓枠を回転駆動して上記換気口の開閉を行うことにより、害虫や害獣の侵入を防ぎながらビニールハウス内の換気を行うことが可能となる。
【先行技術文献】
【特許文献】
【０００７】
【特許文献１】特開２００６−２５４７７８号  公報
【発明の概要】
【発明が解決しようとする課題】
【０００８】
上記従来のビニールハウスにおいて、換気枠にネットを展張することにより、換気口を介して換気を行うと共に害虫及び害獣の侵入を防止することが可能となるが、以下の改善が求められている。
【０００９】
即ち、上記換気口は、ビニールハウスにおける妻面の出入り口の上側や屋根面等、高所に設けられることが一般的である。
【００１０】
従って、換気口に直接ネットを展張する従来のビニールハウス用換気装置の構造においては、ネットを交換したり洗浄したりする際の着脱作業や、ネットを弛みなく展張することが困難である。
【００１１】
そこで、本発明の目的は、上記不具合を改善して換気枠へのネットの着脱作業や、ネットの展張作業を容易にすることが可能なビニールハウス用換気装置を提供することである。
【課題を解決するための手段】
【００１２】
上記課題を解決するための第一の手段は、シートが展張されてなるビニールハウスに換気口を形成する換気枠と、この換気枠に着脱自在に装着されてネットが展張される内枠と、上記換気枠に枢着されてシートが展張される窓枠とを備えてなり、上記換気枠は、この換気枠の内周に向けて開口する係合溝を有する係合部を備えてなり、上記ビニールハウスの外側から上記内枠を上記係合溝に係合して上記換気枠に装着した状態で上記窓枠を上記ビニールハウスの外側に向けて揺動することで上記換気口の開くことである。
上記課題を解決するための第二の手段は、シートが展張されてなるビニールハウスに換気口を形成する換気枠と、この換気枠に着脱自在に装着されてネットが展張される内枠と、上記換気枠に枢着されてシートが展張される窓枠とを備えてなり、上記換気枠は、上記窓枠が枢着される一本の長尺な支持換気枠体と、三本の長尺な換気枠体が上下左右に配置されて矩形に形成されてなり、上記支持換気枠体は、上記換気枠の上辺に相当し、手前側長手方向に沿って形成されてシートが定着する蟻溝を有する蟻溝部と、この蟻溝部の下端に沿って連設されて上記窓枠を揺動自在に支持する支持部と、この支持部の奥側に長手方向に沿って連設されて上記内枠が係合する係合溝を有する係合部とを備えてなり、上記内枠を上記換気枠に装着した状態で上記窓枠を揺動して上記換気口の開閉を行うことである。
【００１３】
この場合において、上記換気枠は、上記窓枠が枢着される一本の長尺な支持換気枠体と、三本の長尺な換気枠体が上下左右に配置されて矩形に形成されてなり、上記支持換気枠体は、上記換気枠の上辺に相当し、手前側長手方向に沿って形成されてシートが定着する蟻溝を有する蟻溝部と、この蟻溝部の下端に沿って連設されて上記窓枠を揺動自在に支持する支持部と、この支持部の奥側に長手方向に沿って連設されて上記内枠が係合する係合溝を有する係合部とを備えることが好ましい。
【００１４】
また、上記三本の換気枠体は、上記換気枠の下辺、左辺及び右辺に相当し、手前側長手方向に沿って形成されてシートが定着する蟻溝を有する蟻溝部と、この蟻溝部の長手方向に沿って連設される断面Ｌ字状のＬ字片とを備え、上記Ｌ字片を上記換気枠の内側に向けて配置することが好ましい。
【００１５】
更に、上記換気枠体における蟻溝部とＬ字片との境界に、上記蟻溝部からＬ字片にかけて手前側に傾斜する傾斜片を備えることが好ましい。
【００１６】
また、上記の場合において、上記内枠は、長尺な四本の内枠体が上下左右に配置されて矩形に形成されてなり、上記内枠体は、手前側長手方向に沿って上記ネットが定着する断面コ字状の溝が形成されるコ字溝部と、このコ字溝部奥側端に沿って長手方向に連設される平板状の平板片とを備えてなり、上記内枠の上辺に相当する内枠体の上記コ字溝部を上記支持換気枠体の係合溝内に係合することが好ましい。
【００１７】
そして、上記内枠体は、上記換気枠体の上記Ｌ字片の手前側に、上記内枠の下辺、左辺若しくは右辺に相当する上記内枠体の平板片を重ねてクリップ止めすることが好ましい。
【００１８】
更に、上記の場合において、上記窓枠は、上記換気枠に枢着される一本の長尺な引掛窓枠体と、三本の長尺な窓枠体が上下左右に配置されて矩形に形成されてなり、上記引掛窓枠体は、上記窓枠の上辺に相当し、手前側長手方向に沿って形成されてシートが定着する蟻溝を有する蟻溝部と、この蟻溝部の上端に沿って連設されて上記支持換気枠体の支持部に揺動自在に係合するフック片と、上記蟻溝部の下端に沿って連設される平板状の平板片とを備えることが好ましい。
【発明の効果】
【００１９】
請求項１，３に記載の発明によれば、換気枠に着脱自在に装着されてネットが展張される内枠を備えることにより、ネットを内枠に予め展張して換気枠に取り付けることが可能となり、換気枠へのネットの着脱が容易に可能となる。
【００２０】
また、ネットを展張する作業を従来のように高所で行う必要がなく、ネットの展張作業を容易にすることが可能となる。
【００２１】
また、ネットが内枠に展張されてなることから、ネットを換気枠から外してもネットが展張された状態に維持されるため、ネットを洗浄する作業が容易である。
【００２２】
請求項２，３に記載の発明によれば、支持換気枠体が支持部を備えることにより、上記支持部を支点にして窓枠を換気枠に枢着することが容易に可能となる。
【００２３】
請求項４に記載の発明によれば、換気枠体がＬ字片を備えることにより、当該Ｌ字片で内枠を背面側から支え、窓枠を閉じたときに当該窓枠によって内枠が奥側に押されて落下することを防止することが可能となる。
【００２４】
また、上記Ｌ字片を備えることにより、このＬ字片を利用して他の換気枠体や支持換気枠体と連結することが可能となり、換気枠の組立性能が向上する。
【００２５】
請求項５に記載の発明によれば、換気枠体が傾斜片を備えることにより、窓枠を閉じたとき、下側の換気枠体と下側の窓枠体との段差を小さくすることが可能となる。
【００２６】
従って、シートを展張する際にシートにかかる負荷を軽減して、シートが損傷することを防止することが可能となる。
【００２７】
請求項６に記載の発明によれば、内枠体が平板片を備えることにより、この平板片を利用して他の平板片と連結することが可能となり、内枠の組立性能が向上する。
【００２８】
また、内枠体のコ字溝部を支持換気枠体の係合溝内に係合することにより、内枠の上辺を換気枠に容易に固定することが可能となる。
【００２９】
請求項７に記載の発明によれば、内枠を換気枠にクリップ止めすることにより、内枠の落下防止をすると共に、内枠を換気枠に着脱することが容易に可能となる。
【００３０】
請求項８に記載の発明によれば、窓枠が上記引掛窓枠体を備えることにより、フック片を換気枠の支持部に係合して、窓枠を換気枠に揺動自在に支持することが容易に可能となる。
【図面の簡単な説明】
【００３１】
【図１】本発明の一実施の形態に係るビニールハウス用換気装置を部分的に示す斜視図である。
【図２】本発明の一実施の形態に係るビニールハウス用換気装置における右側の換気枠体、クリップ、右側の内枠体、ネット、ネット定着部材を分解して示す部分拡大斜視図である。
【図３】図２に示す右側の換気枠体、クリップ、右側の内枠体、ネット、ネット定着部材を組み立てた状態を示す部分拡大斜視図である。
【図４】本実施の形態に係るビニールハウス用換気装置において窓枠を開いた状態を示し、換気枠と内枠とを分解し、上記内枠の一部を切り欠いて示す部分拡大斜視図である。
【図５】本実施の形態に係るビニールハウス用換気装置において、換気枠と内枠とを分解した状態を示す部分拡大斜視図であり、左側と下側の換気枠体及び下側と左側の内枠体の一部を示す。
【図６】本実施の形態に係るビニールハウス用換気装置において、窓枠を閉じた状態を示す部分拡大縦断面図であり、下側の換気枠体、下側の内枠体、下側の窓枠体を示す。
【発明を実施するための形態】
【００３２】
以下に本発明の一実施の形態を示すビニールハウス用換気装置について、図面を参照しながら説明する。いくつかの図面を通して付された同じ符号は、同じ部品かまたはそれに対応する部品を示す。
【００３３】
また、以下の説明において、外側からビニールハウスの妻面に向かったときに見える面を正面、この正面に対向しながらビニールハウスから離れる方向を手前側、ビニールハウスに近づく方向を奥側とする。
【００３４】
上記ビニールハウス用換気装置を備えるビニールハウスは、農作物育成用ハウスであり、図示しないが、列設される複数のアーチ状パイプと、このアーチ状パイプに沿って展張される透明若しくは半透明の合成樹脂製のシートＳとを備える。
【００３５】
本実施の形態に係るビニールハウス用換気装置は、上記ビニールハウスの妻面に形成されてなり、シートＳが展張されてなるビニールハウスに換気口を形成する換気枠１と、この換気枠１に着脱自在に装着されてネットＮが展張される内枠２と、上記換気枠１に枢着されてシートＳ１が展張される窓枠３とを備えてなる。
【００３６】
そして、上記ビニールハウス用換気装置は、上記内枠２を上記換気枠１に装着した状態で上記窓枠３を揺動して上記換気口の開閉を行い、窓枠３を開いて換気口を介してビニールハウス内を換気し、窓枠３を閉じて雨等がビニールハウス内に侵入することを防止する。
【００３７】
以下に、本実施の形態に係るビニールハウス用換気装置Ａの各構成部品について詳細に説明する。
【００３８】
ビニールハウスの換気口は、図１に示すように、ビニールハウスの妻面に取り付けられる換気枠１の内側に形成されてなり、上記換気枠１の略中央に設けられる支柱１０によって左右に分割されてなる。
【００３９】
上記支柱１０には、図示しないが、背面に上記窓枠３を開閉駆動する開閉装置の操作部が設けられてなり、上記開閉装置は、支柱１０の中央部に形成される縦長のスリット１０ａから突出して窓枠３に作用するアーム１１を備えてなる。
【００４０】
このアーム１１の先端には、図示しないが、ローラが設けられてなり、上記アーム１１の先端は、上記窓枠３の上辺に相当する引掛窓枠体７と、同下辺に相当する窓枠体８との間に架橋される架橋フレーム３０に沿って長手方向にスライドする。
【００４１】
そして、上記操作部で上記アーム１１の先端を上下に回転駆動することにより、アーム１１と架橋フレーム３０との当接位置が変化して窓枠３が回転し換気口を開閉する。
【００４２】
尚、上記開閉装置において、操作部が支柱１０の奥側に配置されることから、ビニールハウスの内側から窓枠３の開閉操作を行うことが可能となる。
【００４３】
また、上記架橋フレーム３０がビニールハウスの外側に向けて湾曲することから、窓枠３にシートＳ１を確実に展張することが可能となるが、上記開閉装置の構成は、適宜構成を選択することが可能であり、例えば、特許文献１に開示の構成を利用するとしてもよい。
【００４４】
内側に換気口を形成する換気枠１は、図１に示すように、上記窓枠３が枢着される一本の長尺な支持換気枠体４と、三本の長尺な換気枠体５が上下左右に配置されて矩形に形成されてなる。
【００４５】
本実施の形態において、上記支持換気枠体４が換気枠１の上辺に、上記三本の換気枠体５が換気枠１の下辺、左辺、右辺に相当する。
【００４６】
上記換気枠体５は、図２に示すように、手前側長手方向に沿って形成されてシートＳ（図３）が定着する蟻溝ａを有する蟻溝部５０と、この蟻溝部５０の長手方向に沿って連設される断面Ｌ字状のＬ字片５１とを備え、上記Ｌ字片５１を上記換気枠１の内側に向けて配置する。
【００４７】
また、上記換気枠体５における蟻溝部５０とＬ字片５１との境界に、上記蟻溝部５０からＬ字片５１にかけて手前側に傾斜する傾斜片５２を備える。
【００４８】
詳しくは、上記蟻溝部５０は、長尺な水平平板状の底部フレーム５０ａと、この底部フレーム５０ａの長手側両端に沿って斜め手前側に起立する一対の側部フレーム５０ｂ、５０ｃとで内側に蟻溝ａを形成する。
【００４９】
また、上記Ｌ字片５１は、上記底部フレーム５０に対して垂直方向に配置される平板状の垂直フレーム５１ａと、この垂直フレーム５１ａの図中奥側端に沿って垂設されて上記蟻溝部５０の底部フレーム５０ａと同一平面上に配置される水平フレーム５１ｂとからなる。
【００５０】
そして、蟻溝部５０におけるＬ字片５１側の側部フレーム５０ｂの手前側端は、Ｌ字片５１の垂直フレーム５１ａの手前側端と比較して低い位置（奥側）に配置されてなり、上記傾斜片５２は、上記側部フレーム５０ｂの手前側端と上記垂直フレーム５１ａの手前側端とを連結する。
【００５１】
上記構成を備えることにより換気枠体５は、図３に示すように、上記蟻溝部５０の蟻溝ａ内に係止線条からなるシート定着部材Ｔを介してシートＳを定着させることが可能となる。
【００５２】
尚、図２、図３には、換気枠１の右辺に相当する右側の換気枠体５を示したが、換気枠１の左辺及び下辺に相当する左側及び下側の換気枠体５の形状も図２、図３と同様である。
【００５３】
そして、上記左側の換気枠体５は、図２、図３に示す換気枠体５と線対称に配置され、上記下側の換気枠体５は、図２、図３に示す換気枠体５を右側に９０度回転した状態に配置される（図５、図６）。
【００５４】
一方、換気枠１の上辺に相当する支持換気枠体４は、図４に示すように、手前側長手方向に沿って形成されてシートＳが定着する蟻溝ａを有する蟻溝部４０と、この蟻溝部４０の下端に沿って連設されて窓枠３を揺動自在に支持する支持部４１と、この支持部４１の奥側に長手方向に沿って連設されて上記内枠２が係合する係合溝ｂを有する係合部４２とを備える。
【００５５】
上記支持換気枠体４の蟻溝部４０は、図２、３に示す換気枠体５の蟻溝部５０と同様に形成されてなり、符示しないが、底部フレームと、一対の側部フレームとを備えて内側に蟻溝ａが形成されてなる。
【００５６】
そして、図示しないが、支持換気枠体４は、係止線条からなるシート定着部材Ｔを介して上記蟻溝ａ内にシートＳを定着させる。
【００５７】
また、窓枠３を揺動自在に支持する支持部４１は、上記蟻溝部４０の支持部４１側の側部フレームに沿って長手方向に連設されると共に、手前側から奥側に向けて湾曲する。
【００５８】
更に、上記支持部４１の奥側に長手方向に沿って連設される係合部４２は、図中下側に沿って開口する断面コ字状の係合溝ｂが形成されてなり、上記係合溝ｂ内に内枠２の上辺が係合する。
【００５９】
従って、換気枠１の支持換気枠体４が上記蟻溝部４０を備えることにより、シートＳを定着させることが可能となる。
【００６０】
また、支持換気枠体４が上記支持部４１を備えて、この支持部４１に窓枠３が引っ掛かることにより、支持部４１を支点として窓枠３を揺動自在に支持することが容易に可能となる。
【００６１】
また、換気枠１の三本の換気枠体５がＬ字片５１を備えることにより（図２）、このＬ字片５１に他の換気枠体５や、支持換気枠体４を重ねて固定することが可能となり、換気枠１の組立性能が向上する。
【００６２】
また、上側の支持換気枠体４が係合部４２を、下側、左側及び右側の三本の換気枠体５がＬ字片５１を備えることにより、内枠２の上辺を係合部４２の係合溝ｂに係合して換気枠１に装着したとき、図５に示すように、内枠２の他の辺を上記Ｌ字片５１で背面側（奥側）から支え、窓枠３を閉じた際に当該窓枠３によって内枠２が奥側に押圧されて落下することを防止することが可能となる。
【００６３】
上記換気枠１に着脱自在に装着される内枠２は、長尺な四本の内枠体６が上下左右に配置されて矩形に形成されてなり、図４、図５に示すように、上記内枠体６は、手前側長手方向に沿って上記ネットＮが定着する断面コ字状の溝ｃが形成されるコ字溝部６０と、このコ字溝部６０奥側端に沿って長手方向に連設される平板状の平板片６１とを備えてなる。
【００６４】
そして、上記溝ｃ内にネット定着部材Ｕを介してネットＮを定着させ、上記内枠２にネットＮを展張した状態で、上記内枠２の上辺に相当する上記内枠体６の上記コ字溝部６０を上記支持換気枠４の係合溝ｂ内に係合する（図４）。
【００６５】
また、図２、図３に示すように、上記内枠２は、上記換気枠体５のＬ字片５１の手前側に、上記内枠２の下辺、左辺若しくは右辺に相当する上記内枠体６の平板片６１が重ねて配置されクリップ止められてなる。
【００６６】
上記平板片６１とＬ字片５１の水平フレーム５１ｂと重ねて止めるクリップＫは、上記平板片６１と水平フレーム５１ｂとを重ねた状態で挟持する前後一対の挟持片９０、９０と、この挟持片９０、９０の内側に突設される突起９１、９１とを備えてなる。
【００６７】
そして、上記突起９１、９１を換気枠体５の水平フレーム５１ｂの背面に長手方向に形成される溝５１ｃ（図２）に係合することにより、上記クリップＫの位置ずれを防止することが可能となる。
【００６８】
尚、上記クリップＫの形状は、上記の限りではなく、上記内枠体６の平板片６１と換気枠体５の水平フレーム５１ｂとを重ねて止め得る限りにおいて、適宜形状を選択することが可能である。
【００６９】
また、上記したようにクリップ止めすることにより、内枠２の落下を防止すると共に、内枠２を換気枠１に容易に着脱することが可能となるが、ボルト等の他の手段により内枠体６の平板片６１を換気枠体５の水平フレーム５１ｂに固定するとしても良い。
【００７０】
また、図１には、支柱１０の両側に張り出す鍔フレーム（図示せず）を形成し、左右に分割される換気口それぞれに対向して内枠２を装着した状態を示す。
【００７１】
そして、例えば、図１中右側に区画される換気口に対向して装着される内枠２は、右側及び下側の内枠体６が右側及び下側の換気枠体５にクリップ止めされ、左側の内枠体６は、上記鍔フレームにクリップ止めされる。
【００７２】
つまり、上記構成を備えることにより、内枠２の上辺を換気枠１に係合し、内枠２の他の三辺を換気枠１若しくは支柱１０にクリップ止めして、内枠２を換気枠１に確実に固定することが可能となるが、クリップ止めする位置及び数量は適宜選択することが可能である。
【００７３】
また、上記ネットＮを展張する内枠２を備えることにより、予めネットＮを展張した内枠２を換気枠１に取り付けることが可能となり、換気枠１にネットＮを着脱する作業の作業性を向上することが可能となる。
【００７４】
また、作業台等でネットＮを内枠２に取り付けることが可能となるため、高所に換気口が配置される場合においても、ネットＮを弛みなく展張することが容易に可能となる。
【００７５】
また、ネットＮが内枠２に展張されてなることから、ネットＮを換気枠１から外してもネットＮが展張された状態に維持されるため、ネットＮを洗浄する作業が容易である。
【００７６】
また、上記内枠体６が上記平板片６１を備えることにより、この平板片６１を利用して他の平板片６１と連結することが可能となり、内枠２の組立性能が向上する。
【００７７】
また、上記内枠体６が上記コ字溝部６０を備えることにより、当該コ字溝部６０を支持換気枠体４の係合溝ｂ内に係合することが可能となり、内枠２の上辺を換気枠１に容易に固定することが可能となる。
【００７８】
上記換気枠１の支持換気枠体４に揺動自在に取り付けられて換気口を開閉する窓枠３は、上記換気枠１に枢着される一本の長尺な引掛窓枠体７と、三本の長尺な窓枠体８が上下左右に配置されて矩形に形成されてなる。
【００７９】
上記引掛窓枠体７は、図４に示すように、上記窓枠３の上辺に相当し、手前側長手方向に沿って形成されてシートＳ１が定着する蟻溝ａを有する蟻溝部７０と、この蟻溝部７０の上端に沿って連設されて上記支持換気枠体４の支持部４１に揺動自在に係合するフック片７１と、上記蟻溝部７０の下端に沿って連設される平板状の平板片７２とを備える。
【００８０】
上記フック片７１は、奥側から手前側に向けて湾曲してなり、当該フック片７１を支持換気枠体４の支持部４１に係合させることにより、窓枠３が換気枠１の支持部４１を支点にして揺動することが容易に可能となる。
【００８１】
一方、三本の窓枠体８は、窓枠３の下辺、左辺及び右辺に相当し、図４に示すように、手前側長手方向に沿って形成されてシートＳ１が定着する蟻溝ａを有する蟻溝部８０と、この蟻溝部８０の長手方向に沿って連設される断面Ｌ字状のＬ字片８１とを備え、このＬ字片８１を窓枠３の内側に向けて配置する。
【００８２】
上記窓枠体８の蟻溝部８０及び上記Ｌ字片８１は、図２に示す換気枠体５の蟻溝部５０及びＬ字片５１と同様に形成されてなり、上記窓枠体８は、傾斜片５２に替えて水平片８２を備える点において換気枠体５と相違する。
【００８３】
詳しくは、上記窓枠体８において、蟻溝部８０の側部フレーム８０ｂ、８０ｃの高さと、Ｌ字片８１の垂直フレーム８１ａの高さとが等しく形成されてなり、Ｌ字片８１側の側部フレーム８０ｂの手前側端と垂直フレーム８１ａの手前側端を水平片８２で連結する。
【００８４】
また、本実施の形態において、換気枠１及び窓枠３の各蟻溝部４０、５０、７０、８０は、共通のシート止め部材Ｔを使用してシートＳ、Ｓ１を定着させるため、同じ大きさに形成されることが好ましい。
【００８５】
つまり、換気枠体５が傾斜片５２を備えることにより、換気枠体５の垂直フレーム５１ａが窓枠体８の垂直フレーム８１ａよりも縦長に形成される。
【００８６】
従って、図６に示すように、換気枠体５の水平フレーム５１ｂに内枠体６を重ねてクリップ止めした状態で窓枠３を閉じて、下側の窓枠体６が下側の内枠体６に重なったとき、内枠体６の厚み分手前側に配置される下側の窓枠体８と下側の換気枠体５との段差を小さくすることが可能となる。
【００８７】
ところで、換気口を妻面に有するビニールハウスにシートＳを展張する場合には、一般的に、まず換気口を窓枠３で閉じた状態にして、ビニールハウスの妻面全体をシートＳで覆う。
【００８８】
次いで、アーチ状パイプ、換気枠１及び窓枠３の各蟻溝ａ内に、シート定着部材Ｔを介してシートＳを定着して、ビニールハウスの妻面全体にシートＳを展張する。
【００８９】
そして、カッター等で窓枠３に展張されるシートＳ１と、ビニールハウスの妻面に展張されるシートＳとを分割する。
【００９０】
従って、上述したように、窓枠３を閉じた状態における下側の窓枠体８と下側の換気枠体５との段差を小さくすることにより、ビニールハウスの妻面全体をシートＳで覆って各蟻溝ａ内にシートＳを定着したとき、シートＳにかかる負荷を軽減してシートＳが損傷することを防ぐことが可能となる。
【００９１】
また、換気枠体５が傾斜片５２を備えることにより、窓枠体８の蟻溝部８０と換気枠体５の蟻溝部５０との間に配置されるシートＳが上記傾斜片５２に沿って配置される。
【００９２】
従って、傾斜片５２上でシートＳを切断することが可能となり、窓枠３に展張されるシートＳ１とビニールハウスの妻面に展張されるシートＳとを分割する作業性を向上することが可能となる。
【００９３】
以上、本発明の好ましい実施の形態を説明したが、特許請求の範囲から逸脱することなく改造、変形及び変更を行うことができることは理解すべきである。
【００９４】
例えば、上記実施の形態においては、ビニールハウス用換気装置をビニールハウスの妻面に設けるとしたがこの限りではなく、ビニールハウスの側面や屋根面に設けても良いことは勿論である。
【００９５】
また、本実施の形態において、図１に示すように、換気口が支柱１０によって左右に分割されてなり、各分割された換気口に対向して内枠２がそれぞれ装着された状態を示すが、換気口の形状及び分割数は適宜選択することが可能である。
【００９６】
例えば、図１中の支柱１０を換気枠１の左端若しくは右端に設けて換気口を分割せず、当該換気口に一の内枠２を対向して装着するとしてもよい。
【符号の説明】
【００９７】
ａ  蟻溝
ｂ  係合溝
ｃ  溝
Ｋ  クリップ
Ｎ  ネット
Ｓ  （ビニールハウスの妻面に展張される）シート
Ｓ１  （窓枠に展張される）シート
Ｔ  係止線条たるシート定着部材
Ｕ  ネット定着部材
１  換気枠
２  内枠
３  窓枠
４  支持換気枠体
５  換気枠体
６  内枠体
７  引掛窓枠体
８  窓枠体
１０  支柱
１１  アーム
４０、５０、７０、８０  蟻溝部
４１  支持部
４２  係合部
５１、８１  Ｌ字片
５２  傾斜片
６０  コ字溝部
６１  平板片
８２  水平片
７１  フック片
７２  平板片
【図１】
0005710164.tif 000002
【図２】
0005710164.tif 000003
【図３】
0005710164.tif 000004
【図４】
0005710164.tif 000005
【図５】
0005710164.tif 000006
【図６】
0005710164.tif 000007